(57)【要約】【課題】  雑誌に掲載された商品に対して、消費者の住所地に関わりなく最寄りの店を容易に知ることができ、また商品を販売している店にとって、雑誌に紹介されて商品の取り扱いを容易に広く知らしめることができる商品広告方法を提供する。【解決手段】  所定の商品を紹介した雑誌のページ、またはその雑誌に紹介されている商品をウェブサイト上で表示し、その商品を取り扱っている店をウェブサイトの所定の記録部に記録可能とし、その記録された店の情報を上記ウェブサイト上で第三者が検索可能とした商品広告方法である。上記ウェブサイト上に紹介される雑誌のページまたは商品は、その形状を損なうことなく色合いや色調等の画質を、雑誌の写真より落として表示する。【選択図】  図１
2005099494.tif 000002
【特許請求の範囲】
【請求項１】
所定の商品を紹介した雑誌のページ、またはその雑誌に紹介されている商品をウェブサイトに記録して、インターネットを介して表示可能とし、その商品を取り扱っている店であって上記雑誌に表示されている店以外の他店が、上記商品を取り扱っている旨を上記ウェブサイトの所定の記録部に上記他店からインターネットを介して記録可能とし、その記録された他店の情報を上記ウェブサイト上で第三者が検索可能としたことを特徴とする商品広告方法。
【請求項２】
上記ウェブサイト上に紹介される雑誌のページまたは商品は、その形状を損なうことなく色合いや色調等の画質を、上記雑誌のページよりも落として表示することを特徴とする請求項１記載の商品広告方法。
【発明の詳細な説明】
【技術分野】
【０００１】
この発明は、雑誌等に紹介された商品を、インターネットを介して最寄りの店で入手可能にする商品広告方法に関する。
【背景技術】
【０００２】
従来、例えばファッション雑誌には種々の商品が紹介され、その商品を提供している企業や取扱店も掲載されている。通常、全国的に販売されるファッション雑誌においても、紹介される取扱店は東京等の大都市の店に限られている。
【０００３】
また、特許文献１等に開示されているように、近年、インターネットを介した商品広告方法が種々提供されている。これらの広告方法は、インターネットを利用して多数の商品情報の中から所望の商品を効率よく検索し、情報を入手可能としたものである。
【特許文献１】特開２００３−１３１６０５号公報
【発明の開示】
【発明が解決しようとする課題】
【０００４】
上記従来のファッション雑誌による情報は、紹介している商品の取扱店が東京等の大都市の店に限られ、地方の在住者にとってはその店に買いに出かけることは難しく、同じ商品を取り扱っている最寄りの店に関する情報もないものであった。
【０００５】
また、従来のインターネットを利用した広告方法は、コンピュータを利用した情報の効率良い処理や検索等に限られ、紹介している商品自体へのアクセス性の向上を図るものはなかった。
【０００６】
この発明は、上記従来の技術の問題点に鑑みて成されたもので、雑誌に掲載された商品に対して、消費者の住所地に関わりなく最寄りの店を容易に知ることができ、また商品を取り扱っている店にとって、雑誌に紹介された商品を取り扱っていることを容易に広く知らしめることができる商品広告方法を提供することを目的とする。
【課題を解決するための手段】
【０００７】
この発明は、所定の商品を紹介した雑誌のページ、またはその雑誌に紹介されている商品をウェブサイトに記録して、インターネットを介して表示可能とし、その商品を取り扱っている店であって上記雑誌に表示されている店以外の他店が、上記商品を取り扱っている旨を、上記ウェブサイトの所定の記録部に上記他店からインターネットを介して記録可能とし、その記録された他店の情報を上記ウェブサイト上で第三者が検索可能とした商品広告方法である。さらに、上記ウェブサイト上に紹介される雑誌のページまたは商品は、その形状を損なうことなく色合いや色調等の表示を、上記雑誌のページより落として表示するものである。
【発明の効果】
【０００８】
この発明は、全国的に販売される雑誌等に紹介された商品について、インターネットを利用して最寄りの取扱店を容易に見つけ出すことができるものである。また、雑誌に紹介されている商品を取り扱っている店にとって、その店の近くの消費者に対して自店で取り扱っていることを容易に広告することができ、雑誌の記事を利用して自店のＰＲを行うことができる。
【発明を実施するための最良の形態】
【０００９】
以下、この発明の実施形態について図面に基づいて説明する。この実施形態では、図１に示すように、インターネット１０を利用してファッション情報等の広告を行うもので、この発明の実施形態の広告方法を運営する運営者１１が管理するサーバー１２は、インターネット１０に接続されている。インターネット１０には、衣料品等を扱う各取扱店１４がコンピュータ１６により接続している。さらに消費者２０も、コンピュータ１８や携帯電話２２によりインターネット１０に直接または間接的に接続可能に設けられている。
【００１０】
運営者１１のサーバーに記録されたウェブサイト内には、例えば図２に示すように、定期的に発行される雑誌２４のファッション情報が運営者１１により記録され、インターネット１０を介して各店舗や消費者２０によるアクセスが可能に設けられている。ウェブサイトに記録された画像３２は、雑誌２４の写真２６に対して、そのコントラストや色調等の画質を落とし、または白黒にして画質を落とし、雑誌２４の写真２６よりも画像としての質が劣るものとなっている。ただし、コンピュータ１８の画面３０に表示された状態で、雑誌２４の写真２６との対応が分かる程度の画像となっている。
【００１１】
さらに、雑誌２４の写真２６の商品を取り扱っている店に関する、場所や店写真、電話番号やインターネットアドレス等の情報を、この雑誌２４の写真２６の画像３２毎に対応させて、検索可能に記録されている。
【００１２】
この実施形態の広告方法は、先ずウェブサイトのホームページのトップページにおいて、消費者向けのページと、商品を取り扱っている店向けのページに分かれる。消費者向けのページにおいては、図４に示すように、性別や年代別に雑誌カテゴリーを選択し、雑誌タイトルや号数をコンピュータ１８の画面３０上でクリックして選択する。これにより、そのウェブサイトに記録された、例えば雑誌２４の写真２６の画像３２が、インターネット１０を介して消費者２０のコンピュータ１８に送られ、画面３０に表示される。さらに、その雑誌２４の該当ページ番号をクリックし、商品の画像３２をクリックする。
【００１３】
これにより、都道府県一覧がコンピュータ１８の画面３０に表れ、地域を選択する。地域は複数選択可能であり、その選択された地域に、クリックした画像３２の商品がある場合は、その商品を取り扱っている取扱店１４の一覧を画面３０に表示する。一覧には、店名が表示され、さらに各店からその店の詳細情報を表示する画面に移行する。詳細情報には、その店の住所、店の外観写真、ホームページアドレス等が表示される。
【００１４】
また、クリックした画像３２の商品がない場合は、その地域には取扱店１４がない旨を表示する。この後、画面３０上で問い合わせ者は、その商品を取り扱う可能性のある店に対して、商品の問い合わせメールを発信することができる。このメールは、その商品を取り扱う可能性のある店を、コンピュータ１８のメモリの中から検索して、それらの店のメールアドレス宛に、「捜しものメール」として一斉に送信する。
【００１５】
また、ウェブサイトに登録された各種雑誌２４の商品の取扱店１４は、そのウェブサイトの登録店向けの専用ページに、ＩＤとパスワードを入力することにより移行することができる。登録店は、図５に示すように、このウェブサイトの管理者１１に登録することで、ＩＤが付与され、パスワードが決められる。これにより、そのウェブサイトに掲載されている商品の取扱店１４であることが記録され、消費者による取扱店探しの対象となる。商品の登録方法は、店の担当者がウェブサイトに登録されている雑誌２４をみて、自店で取り扱っている商品がある場合は、上記ウェブサイトからその雑誌のカテゴリーやタイトル、号数を選択して店側のコンピュータ１６に表示された画像をクリックする。これによりその加盟店は、クリックした商品を取り扱っていることが、サーバー１２に記録され、消費者の検索対象となる。また、商品の売り切れ等による削除や変更・追加も取扱店側からウェブサイトにアクセスして、その商品の画像をクリックして、選択する。
【００１６】
この実施形態の広告方法によれば、雑誌に紹介されている商品をその紹介された店のみならず、全国の取扱店１４を容易に検索対象とすることができ、特に地方在住者にとって欲しい商品を最寄りの取扱店１４から入手することができる。また、インターネットのウェブサイトの表示する商品画像３２は、雑誌２４の写真２６よりも画質を落としているので、消費者は雑誌２４を見て、その写真２６の商品の取扱店をインターネット１０のウェブサイトで検索するという行動を取るもので、雑誌自体の売れ行きに影響を与えることはなく、雑誌社にとっても、かえって雑誌の売れ行きに寄与するものである。
【００１７】
なお、消費者側からのアクセス方法を携帯電話からも可能とすることにより、より検索可能な消費者の範囲を広げることができ、広範な消費者を対象とすることができる。
【図面の簡単な説明】
【００１８】
【図１】この発明の一実施形態の広告方法の概略を示す図である。
【図２】この発明の広告方法に用いる雑誌の例を示す図である。
【図３】この発明の広告方法によりコンピュータ画面に表示される雑誌掲載商品の画像の例である。
【図４】この発明の広告方法により商品の取扱店を検索する概略フローチャートである。
【図５】この発明の広告方法により取扱店の登録方法を示す概略フローチャートである。
【符号の説明】
【００１９】
１０    インターネット
１２    サーバー
１４    取扱店
１６，１８  コンピュータ
２０  消費者
２２  携帯電話
２４  雑誌
２６  写真
３０  画面
３２  画像
【図１】
2005099494.tif 000003
【図２】
2005099494.tif 000004
【図３】
2005099494.tif 000005
【図４】
2005099494.tif 000006
【図５】
2005099494.tif 000007